(57)【要約】【課題】水平方向の力以外の力が加わった場合においても、その力に対して十分に抗することが可能な取付け具を備えた浴槽用補助具を提供することを目的とする【解決手段】本発明によれば、台座部と、案内手段によって台座部の幅方向に移動できると共に、任意の位置で固定するための係止／解除手段を備えており、そして台座部の一の端部領域の裏面に設けられている第１及び第２のストッパーとを備えており、第１及び／又は第２のストッパーは、ナットが固定されており且つ台座部の任意の位置に固定できるストッパー本体と、ナットに螺合するボルト軸と、ボルトの後端部に固着されたハンドルノブと、そしてハンドルノブ又はボルト軸を回動することにより螺進退するようにハンドルノブ又はボルト軸の先端部へ回動自在に支承された押圧具とを備えている浴槽用補助具が提供される。【選択図】  図６
2016168235.tif 000002
【特許請求の範囲】
【請求項１】
台座部と、
案内手段によって前記台座部の幅方向に移動できると共に、任意の位置で固定するための係止／解除手段を備えており、そして前記台座部の一の端部領域の裏面に設けられている第１のストッパーと、そして
案内手段によって前記台座部の幅方向に移動できると共に、任意の位置で固定するための係止／解除手段を備えており、そして前記台座部の他の端部領域の裏面に設けられている第２のストッパーとを備えている浴槽用補助具において、
前記第１のストッパーおよび／または前記第２のストッパーは、
ナットが固定されており、且つ前記台座部の任意の位置に固定できるストッパー本体と、
前記ナットに螺合するボルト軸と、
前記ボルトの後端部に固着されたハンドルノブと、そして
前記ハンドルノブまたは前記ボルト軸を回動することにより螺進退するように、前記ハンドルノブまたは前記ボルト軸の先端部へ回動自在に支承されている押圧具とを備えていることを特徴とする浴槽用補助具。
【請求項２】
台座部と、
案内手段によって前記台座部の幅方向に移動できると共に、任意の位置で固定するための係止／解除手段を備えており、そして前記台座部の一の端部領域の裏面に設けられている第１のストッパーと、そして
案内手段によって前記台座部の幅方向に移動できると共に、任意の位置で固定するための係止／解除手段を備えており、そして前記台座部の他の端部領域の裏面に設けられている第２のストッパーとを備えている浴槽用補助具において、
前記第１のストッパーおよび／または前記第２のストッパーは、
ナットが回動自在に取り付けられており、且つ前記台座部の任意の位置に固定できるストッパー本体と、
前記ナットに螺合するボルト軸と、
前記ナットに固着されたハンドルノブと、そして
前記ハンドルノブまたは前記ナットを回動することにより螺進退するように、前記ボルト軸へ回動自在に支承されている押圧具とを備えていることを特徴とする浴槽用補助具。
【請求項３】
前記台座部は、
板状の回動部材と、
前記回動部材を開閉自在に支持すると共に、前記回動部材を挟んで互いに対向し且つ互いに連結されている一の端部領域と他の端部領域とを含んでおり、そして前記回動部材の外周部に配置されている板状の支持基材とから構成されており、そして
前記第１のストッパーは、前記支持基材の前記一の端部領域の裏面に設けられており、前記第２のストッパーは、前記支持基材の前記他の端部領域の裏面に設けられていることを特徴とする請求項１又は２に記載の浴槽用補助具。
【請求項４】
前記台座部は、
互いに対向し且つ互いに連結されている一の端部領域と他の端部領域とを含んでおり、そして平面視においてコの字型またはＣ型に湾曲している板状の支持基材と、そして
前記支持基材の前記一の端部領域と前記他の端部領域とを横断するように配置される棒状のグリッピングバーを備えており、そして前記支持基材に開閉自在に支持される手摺り部とから構成されており、そして
前記第１のストッパーは、前記支持基材の前記一の端部領域の裏面に設けられており、前記第２のストッパーは、前記支持基材の前記他の端部領域の裏面に設けられていることを特徴とする請求項１又は２に記載の浴槽用補助具。
【請求項５】
前記ストッパー本体または前記押圧具は、前記ストッパー本体に対する前記押圧具の移動範囲を規制する移動規制手段を備えていることを特徴とする請求項１ないし４のいずれかに記載の浴槽用補助具。
【請求項６】
前記ストッパー本体は、縁部によって区画された開口部を備えており、そして
前記移動規制手段は、前記押圧具は、前記ボルト軸に対して略平行に延びており且つ前記開口部を貫通して前記縁部と係合する２以上の爪付き弾性片により構成されていることを特徴とする請求項５に記載の浴槽用補助具。
【請求項７】
前記ストッパー本体は、前記ストッパー本体に対する前記押圧具の移動位置を示す目盛りを有していることを特徴とする請求項１ないし６のいずれかに記載の浴槽用補助具。
【請求項８】
前記案内手段は、前記台座部に形成されたスリットと、そして前記スリットを貫通し、且つ前記ストッパー本体に連結されたガイド軸とから構成されていることを特徴とする請求項１ないし７のいずれかに記載の浴槽用補助具。
【請求項９】
前記ストッパー本体はストッパー側凹凸部を備えており、そして
前記係止／解除手段は、
前記ストッパー側凹凸部と、
前記ストッパー側凹凸部と係合し、且つ前記案内手段に沿って前記台座部に形成された台座部側凹凸部と、そして
前記ストッパー側凹凸部を前記台座部側凹凸部へ向けて前進させる進退手段とから構成されていることを特徴とする請求項１ないし８のいずれかに記載の浴槽用補助具。
【請求項１０】
前記ストッパー本体には雌ネジが設けられており、そして
前記進退手段は、前記雌ネジと、前記雌ネジと螺合する雄ネジ部とから構成されていることを特徴とする請求項９に記載の浴槽用補助具。
【請求項１１】
前記ストッパー側凹凸部は、前記ストッパー本体に一体的に形成されていることを特徴とする請求項９又は１０に記載の浴槽用補助具。
【請求項１２】
前記ストッパー側凹凸部は、前記ストッパー本体へ水平方向に回動自在に取り付けられた第２のストッパー本体に形成されていることを特徴とする請求項９又は１０に記載の浴槽用補助具。
【請求項１３】
前記ストッパー本体または前記第２のストッパー本体は、前記第２のストッパー本体に対する前記ストッパー本体の回動範囲を規制する第１の回動規制手段を備えていることを特徴とする請求項１２に記載の浴槽用補助具。
【請求項１４】
前記第２のストッパー本体は第１の突起部を有する第１の回動軸部を備えており、そして
前記第１の回動規制手段は、前記第１の突起部の回動軌跡内において前記第１の突起部と当接し且つ前記ストッパー本体に設けられている２つの当接部より構成されていることを特徴とする請求項１３に記載の浴槽用補助具。
【請求項１５】
前記押圧具は、略円筒形状の押圧部材または略平板状の押圧部材を含んでいることを特徴とする請求項１ないし１４のいずれかに記載の浴槽用補助具。
【請求項１６】
前記押圧部材は、前記押圧具へ鉛直方向に回動自在に取り付けられていることを特徴とする請求項１５に記載の浴槽用補助具。
【請求項１７】
前記押圧具または前記押圧部材は、前記押圧具に対する前記部材の回動範囲を規制する第２の回動規制手段を備えていることを特徴とする請求項１６に記載の浴槽用補助具。
【請求項１８】
前記押圧具は、第２の突起部を有する第２の回動軸部を備えており、
前記押圧部材は、前記第２の回動軸部を摺動自在に受け入れる軸受け部を備えており、そして
前記第２の回動規制手段は、前記第２の突起部の回動軌跡内において前記第２の突起部と当接し且つ前記軸受け部に設けられている切り欠き部より構成されていることを特徴とする請求項１７に記載の浴槽用補助具。
【請求項１９】
前記第１のストッパーと前記第２のストッパーの対を複数対備えていることを特徴とする請求項１ないし１８のいずれかに記載の浴槽用補助具。
【発明の詳細な説明】
【技術分野】
【０００１】
本発明は、高齢者や要介護者などの入浴を容易にするために浴槽の開口部の一部に設置されるバスボードや浴槽用手摺りなどの浴槽用補助具に関し、特に一部が開閉可能なバスボードのように、回動部材を開閉する際に上向き方向の力が生じても、浴槽の側壁を強力に突っ張ることができる特殊なストッパーを有することにより、該回動部材を支持する基材が浴槽の側壁から離脱することがないように強化された浴槽用補助具に関する。
【背景技術】
【０００２】
従来より、高齢者や要介護者などの身体の不自由な人の入浴を容易にするために、浴槽の開口部の一部に設置されるバスボードや浴槽用手摺りなどの浴槽用補助具が提供されている（特許文献１，２）。浴槽用補助具のうちバスボードは、高齢者や要介護者など使用者が入浴する際に浴槽の開口部に掛け渡しておき、使用者がバスボードへ腰を掛けたままの状態で浴槽の外から中へ又は中から外へ移動できるようすることで、浴槽への出入りを容易にしたものである。
【０００３】
また、バスボードは、使用者の入浴中は邪魔になることから、近年では、使用者の入浴中はバスボードを跳ね上げることができるように、バスボード本体の全部を開閉可能にしたり（特許文献３）、或いはバスボード本体の一部を開閉可能にしたバスボードが開発されている（特許文献４）。
【０００４】
さらに、上記特許文献１〜４に記載されているように、一般にバスボードのような浴槽用補助具の裏側には、バスボードを浴槽の開口部の一部へ強固に取り付けるためにストッパーが設けられている。これらのストッパーは、通常、バスボードの裏側において、浴槽の側壁へ向かってスライド移動できるように２つ又はそれ以上取り付けられている。そして、浴槽の開口部へバスボードの取り付けは、一方のストッパーをスライドさせて浴槽の側壁に当接させた後、他方のストッパーをスライドさせて反対側の浴槽側壁に手でしっかりと押し付けることにより行われる。
【０００５】
また、上述したような従来のストッパーは、バスボードに水平方向の力が加わることによって、バスボードが浴槽の開口部に対して横方向に移動して、浴槽側壁の上面から脱落するのを防止することを主な目的として設計されているため、水平方向の力以外の力が加わった時のバスボードの安定性については殆ど考慮されていないという実情があった。
【０００６】
このため、従来のバスボードに使用されているようなストッパーでは、バスボードの横ズレを誘発する水平方向の力に対して強力に抗する（バスボードの固定を維持する）ことができるが、例えばバスボードへ上向き方向の力などの水平方向の力以外の力が加わった時は、その力に対して十分に抗する（バスボードの固定を維持する）ことができず、バスボードが不意に浴槽側壁の上面または浴槽の開口部から離脱してしまうという問題があった。特に、上述したバスボードの全部または一部が開閉可能なバスボードの場合、バスボードの回動部材を強力にまたは繰り返し跳ね上げる時には、バスボードへ上向き方向の力が加わるので、その力に対して十分に抗する（バスボードの固定を維持する）ことができず、バスボードが浴槽側壁の上面または浴槽の開口部から離脱してしまうという問題が顕著に生じていた。
【０００７】
特許文献５には、バスボードを浴槽の開口部の一部へ設置するタイプのものではないが、洗い場側の浴槽側壁を固定アングルおよび可動プレートによって強力にクランプすることによって、浴槽の外部へ固定するタイプのバスボードが開示されている。
【０００８】
特許文献５に記載されたクランプ方式では、固定アングルを浴槽側壁の内壁面に当接させた状態において、スライドアングルに揺動可能に取り付けられた可動プレートを浴槽側壁の外壁面に当接するまで移動させ固定する。そしてこの状態において、可動プレートの背面に設けられた偏心カム面を回動することにより、可動プレートがスライドアングルから浴槽側壁の外壁面に向けてさらに押し付けられるので、バスボードを洗い場側の浴槽側壁に強固に固定するというものである。
【０００９】
ところが、近年では浴槽のデザイン化、多機能化、成形の容易化に伴い、剛性を有する浴槽部分は、浴槽側壁の内壁面と浴槽側壁の上面および浴槽側壁の外壁面のリム部（上部）に限られていることが多く、浴槽側壁の外壁面の殆どは剛性を有さない化粧板で覆われているに過ぎない。このため、浴槽側壁の内壁面および外壁面を両側からクランプするという特許文献５に記載のクランプ方式では、クランプ時、剛性を有さない浴槽側壁の外壁面が撓んでしまい、バスボードを浴槽側壁に強固に固定することができないという問題が生じていた。
【００１０】
また、特許文献５に記載のクランプ方式は、洗い場側の浴槽側壁のように内壁面および外壁面が露出している浴槽側壁のみへ適用することができ、浴槽側壁の外壁面が浴室の壁に接している側の浴槽側壁には適応することができないため、浴槽の開口部の一部を横断するように設置することを必須の条件とするバスボードにおいては、特に浴室の壁に接している側の浴槽側壁に強固に固定することができないという問題があった。
【００１１】
特許文献６には、洗い場側の浴槽側壁の内壁面および外壁面をクランプする手摺り保持具に加えて、洗い場側の浴槽側壁とその反対側の浴槽側壁との間を横断させることにより固定する棒状の手摺りガイドを併用するによって、浴槽の側壁に固定するタイプの浴槽用手摺りが開示されている。
【００１２】
特許文献６に記載された浴槽用手摺りでは、洗い場側の浴槽側壁を跨ぐように手摺り保持具を設置し、固定ノブを回して取り付け板を螺進させることにより洗い場側の浴槽側壁に挟み込み固定する。そして、手摺り保持具に固定された棒状の手摺りガイドは、洗い場側と反対側の浴槽側壁にまで届く長さに延ばした後、手摺りガイドの先端に設けられている吸引固定具の吸盤を洗い場側と反対側の浴槽側壁の内壁面に吸着させることにより固定する。
【００１３】
しかしながら、特許文献６に記載された浴槽用手摺りでは、洗い場側の浴槽側壁をクランプする手摺り保持具を必要とするので、剛性を有する浴槽部分が、浴槽側壁の内壁面と浴槽側壁の上面および浴槽側壁の外壁面のリム部（上部）に限られている場合、上記特許文献５に記載のクランプ方式と同じ不都合を生じるという問題点があった。
【００１４】
さらに、特許文献６に記載された浴槽用手摺りでは、取り付け後においても、浴槽の開口部を横断する棒状の手摺りガイドは伸縮自在であるため、洗い場側の浴槽側壁に固定された手摺り保持具と、その反対側の浴槽側壁の内壁面に吸着固定された吸引固定具とが、それらの相互作用により、手摺りガイドを介して突っ張ることができないという問題があった。このため、浴槽の開口部に渡された手摺りガイドは、上向きの力に対して、手摺り保持具のクランプ力と吸引固定具の吸着力のみによって抗しなければならず、十分に浴槽の側壁に固定できないという問題があった。また、浴槽の開口部に手摺りガイドを設置した後、その長さを固定した状態において吸引固定具の吸盤を浴槽側壁の内壁面に吸着させると、今度は、吸盤の変形に伴い手摺りガイドに引っ張り応力が生じてしまい、吸引固定具の吸盤による十分な吸着力が得られなかったり、或いはその反対側の手摺り保持具のクランプ力を低下させてしまうという問題があった。
【００１５】
特許文献７には、伸縮自在にしてなる棒状手摺りであって、該棒状手摺りの両端に設けられた固定フレームを浴槽側壁の内壁へ向けて螺進させて浴槽側壁の内面を突っ張ることにより、棒状手摺りを浴槽の内部へ固定するタイプの浴槽用手摺りが開示されている。
【００１６】
特許文献７に記載の浴槽用手摺りの固定方法は、剛性を有する浴槽側壁の内面を突っ張ることにより棒状手摺りを浴槽の内部に固定するものであるため、浴槽の形状に左右されることなく棒状手摺りを強固に取り付けることができ、また着脱も容易にできるという利点がある。
【００１７】
しかしながら、特許文献７に記載の浴槽用手摺りの固定方法では、浴槽側壁の内壁へ向けて螺進させた固定フレームが棒状手摺りを介して浴槽側壁の内面を突っ張ることができるように、棒状手摺りと、棒状手摺りの両端に設けられた固定フレームとを一直線上に配置しなければならない。また、特許文献７に記載された棒状手摺りは入浴者の手摺りとして使用されるものであるため、浴槽の内部を横断するよう取り付けられることが前提として設計されている。このため、特許文献７に記載の浴槽用手摺りの固定方法を例えばバスボードへ適用すると、特にそれがバスボード本体の全部又は一部が開閉するタイプのバスボードである場合、回動部分を跳ね上げた時に棒状手摺りが浴槽の内部に残ってしまい、入浴者の邪魔になるという本質的な問題があった。
【先行技術文献】
【特許文献】
【００１８】
【特許文献１】特開２００２−３３１０１６号公報
【特許文献２】特開２００２−２０９９７０号公報
【特許文献３】特開２００３−２４４０９号公報
【特許文献４】実用新案登録第３１８６１６９号公報
【特許文献５】特開平９−１０８１３８号公報
【特許文献６】特開平９−２５２９８５号公報
【特許文献７】特開２００１−２９９８６６号公報
【発明の概要】
【発明が解決しようとする課題】
【００１９】
そこで、本発明は、浴槽の開口部の一部に設置されるバスボードや浴槽用手摺りなどの浴槽用補助具において、上向き方向の力などの水平方向の力以外の力が加わった場合においても、その力に対して十分に抗することによって浴槽への固定を安定的に維持することが可能な取付け具を備えた浴槽用補助具を提供することを目的とする。また、本発明は、浴槽用補助具を浴槽に取り付けた状態おいても、浴槽への取付け具が浴槽内の入浴者の邪魔とならない浴槽用補助具を提供することを目的とする。
【課題を解決するための手段】
【００２０】
本発明者らは、バスボードや浴槽用手摺りなどの浴槽用補助具における浴槽への取付け手段やその構造、取付け原理などについて鋭意研究を重ねた結果、水平方向の力以外の力に対して十分に抗することができるようにするためには、浴槽用補助具の裏面の両端部に少なくとも１つ以上の対の取付け具（ストッパー）を設け、そして１対の中の少なくとも１つの取付け具（ストッパー）は、浴槽用補助具の幅方向において、第１の位置と、第１の位置を基準とした第２の位置という２段モーションで固定できるようにすることが最も効果的であることを見出し、本発明を完成させるに至った。また、浴槽へ設置した浴槽用補助具の取付け具（ストッパー）が入浴者の邪魔とならないようにするためには、対となっている取付け具（ストッパー）同士を、浴槽側壁の上面に沿うようにコの字型またはＣ型に湾曲している部材を介して相互に連結することが最も効果的であることを見出し、本発明を完成させるに至った。
【００２１】
すなわち、本発明によれば、浴槽の開口部の一部に設置される浴槽用補助具であって、台座部と、案内手段によって台座部の幅方向に移動できると共に、任意の位置で固定するための係止／解除手段を備えており、そして台座部の一の端部領域の裏面に設けられている第１のストッパーと、そして案内手段によって台座部の幅方向に移動できると共に、任意の位置で固定するための係止／解除手段を備えており、そして台座部の他の端部領域の裏面に設けられている第２のストッパーとを備えており、第１のストッパーおよび／または第２のストッパーは、台座部の任意の位置に固定できるストッパー本体と、そしてストッパー本体から離間させて位置を固定できる押圧具とを備えている浴槽用補助具が提供される。
【００２２】
本発明の浴槽用補助具は、台座部の裏側の両端部領域に少なくとも２つ以上のストッパーを備えている。そして、２つ以上のストッパーのうち、少なくとも１つのストッパーは、係止／解除手段によって第１の位置で、ストッパー本体を固定することができ、さらに第１の位置を基準として、ストッパー本体から離間した第２の位置で、ストッパー本体に取り付けられた押圧具を固定することができる。別言すれば、２つ以上のストッパーのうち、少なくとも１つのストッパーは、第１の位置における固定と、第１の位置を基準とした第２の位置における固定という２段モーションを起こすことができる。
【００２３】
このため、本発明の浴槽用補助具では、台座部の裏側の両端部領域に配置された一方のストッパーを浴槽側壁の内面に当接させて固定し（１段目のモーション）、他方のストッパーを浴槽側壁の反対側の内面に当接させて固定した後（１段目のモーション）、さらに、一方のストッパーおよび／または他方のストッパーから浴槽側壁の内面へ向けて、ストッパーの押圧具を前進させることにより（２段目のモーション）、浴槽用補助具を浴槽に取り付けることができる。
【００２４】
この時、本発明で使用されるストッパーは、台座部の裏側の両端部領域に移動可能に設けられた１対のストッパーを単に浴槽側壁の内面に当接させるのみの従来のものとは異なり、ストッパー本体に取り付けられた押圧具が、固定されたストッパー本体からさらに浴槽側壁を押し込むように前進させて（２段目のモーション）、いわゆる増す締め（増す押し）を行うことが可能となるので、台座部を介して浴槽側壁の対向する内面同士を強力に突っ張ることができる。この結果、本発明の浴槽用補助具は、上向き方向の力などの水平方向の力以外の力が加わった場合においても、その力に十分に抗することができるように強固に浴槽に取り付けることができる。
【００２５】
また、本発明で使用される１対のストッパーは、剛性を有する浴槽の内壁部分を利用して固定されるので、浴槽側壁の押圧位置を選ばず、台座部を介して強力に突っ張ることができる。
【００２６】
このように、本発明による上述の効果は、２段モーションにより増す締め（増す押し）することができる１対のうちの一のストッパーと、１段又は２段モーションにより押圧することができる１対のうちの他のストッパーとを台座部を介して連結させることにより奏される。このため、本発明の浴槽用補助具は、２段モーションにより増す締め（増す押し）することができる一のストッパーと、１段又は２段モーションにより押圧することができる他のストッパーとの対を複数対備えていてもよい。この場合は、一のストッパーと他のストッパーの対の数の増加に比例して、浴槽用補助具は、上向き方向の力などの水平方向の力以外の力が加わった場合においても、その力に十分に抗することができるようにより一層強固に浴槽に取り付けることができるようになる。
【００２７】
本発明の浴槽用補助具では、台座部は、板状の回動部材と、回動部材を開閉自在に支持すると共に、回動部材を挟んで互いに対向し且つ互いに連結されている一の端部領域と他の端部領域とを含んでおり、そして回動部材の外周部に配置されている板状の支持基材とから構成されており、そして第１のストッパーは、支持基材の一の端部領域の裏面に設けられており、第２のストッパーは、支持基材の他の端部領域の裏面に設けられていてもよい。
【００２８】
台座部が、板状の回動部材と、板状の支持基材とから構成されていると、本発明の浴槽用補助具は、使用者が一時的に腰を掛けることにより浴槽への出入りを容易にさせるバスボードのように使用することができる。
【００２９】
また、台座部が、回動部材と、回動部材の外周部を囲むように配置される支持基材とに分かれていると、使用者が入浴する時は、台座部の回動部材を跳ね上げることができ、そして支持基材も浴槽の開口部を避けるようにコの字型またはＣ型に湾曲しているので、浴槽用補助具が使用者の邪魔となることがない。また、支持基材の両端部領域に設けられた１対のストッパーは、コの字型またはＣ型に湾曲した支持基材を介して浴槽の対向する内壁面を強力に突っ張ることができるので、回動部材を跳ね上げるにより、浴槽用補助具に上向き方向などの力が生じた場合でも、浴槽用補助具が浴槽側壁から脱落などすること防止することができる。
【００３０】
特に本発明の浴槽用補助具では、支持基材は板状であり且つ平面視においてコの字型またはＣ型に湾曲しているので、水平方向に働く曲げモーメントに対しては、ウエブとして曲げに抗する十分な大きさの断面二次モーメントを有している。このため、支持基材の両端部領域に配置された１対のストッパーによって、支持基材へ、突っ張り応力に起因した強力な曲げモーメントが働いても、１対のストッパーを直線状の連結部材で連結させた場合と同様に、コの字型またはＣ型に湾曲した支持基材を介して浴槽の対向する内壁面を強力に突っ張ることができる。
【００３１】
本発明の浴槽用補助具では、台座部が、互いに対向し且つ互いに連結されている一の端部領域と他の端部領域とを含んでおり、そして平面視においてコの字型またはＣ型に湾曲している板状の支持基材と、そして支持基材の一の端部領域と他の端部領域とを横断するように配置される棒状のグリッピングバーを備えており、そして支持基材に開閉自在に支持される手摺り部とから構成されており、そして第１のストッパーは、支持基材の一の端部領域の裏面に設けられており、第２のストッパーは、支持基材の他の端部領域の裏面に設けられていてもよい。
【００３２】
台座部の一部が、コの字型またはＣ型に湾曲している支持基材の両端部領域を横断するように配置される棒状のグリッピングバーを備えていると、本発明の浴槽用補助具は、使用者が手で握ることにより浴槽への出入りを容易にさせる浴槽用手摺りのように使用することができる。
【００３３】
また、台座部が、グリッピングバーと、コの字型またはＣ型に湾曲した支持基材とから構成されていると、使用者が入浴する時は、台座部のグリッピングバーを跳ね上げることができ、そして支持基材も浴槽の開口部を避けるように湾曲しているので、浴槽用補助具が使用者の邪魔となることがない。また、支持基材の両端部領域に設けられた１対のストッパーは、コの字型またはＣ型に湾曲した支持基材を介して浴槽の対向する内壁面を強力に突っ張ることができるので、グリッピングバーを跳ね上げるにより、浴槽用補助具に上向き方向などの力が生じた場合でも、浴槽用補助具が浴槽側壁から脱落などすること防止することができる。
【００３４】
本発明の浴槽用補助具では、案内手段は、台座部に形成されたスリットと、そしてスリットを貫通し、且つストッパー本体に連結されたガイド軸とから構成されていることが好ましい。また、ガイド軸とは、例えばストッパー本体と螺合されるボルト軸のようなものが挙げられる。
【００３５】
台座部に設けたスリットの中に、ストッパー本体に連結されたガイド軸を摺動可能に配置すると、ストッパーは、スリットに沿って円滑にスライド移動させることができるようになる。また、スリットと、その中でスライドするガイド軸との組み合わせは、構造が簡単で製造コストが安く、信頼性も高いというメリットがある。
【００３６】
本発明の浴槽用補助具では、ストッパー本体はストッパー側凹凸部を備えており、そして係止／解除手段は、ストッパー側凹凸部と、ストッパー側凹凸部と係合し、且つ案内手段に沿って台座部に形成された基材側凹凸部と、そしてストッパー側凹凸部を基材側凹凸部へ向けて前進させる進退手段とから構成することができる。
【００３７】
すなわち、本発明の浴槽用補助具では、係止／解除手段は、ストッパー本体に設けられたストッパー側凹凸部と、例えば台座部の支持基材のスリットなどの案内手段の周辺部に設けられた基材側凹凸部とから構成することができる。そして、例えばスリットの中でストッパー本体に螺合されたボルト軸などのガイド軸を後退させることにより、ストッパー側凹凸部と基材側凹凸部との係合を離間・解除させて、ストッパー本体は、スリットなどの案内手段に沿ってスライド移動できるようになる。一方、スリットの中でストッパー本体に螺合されたボルト軸などのガイド軸を前進させることにより、ストッパー側凹凸部と基材側凹凸部とを当接・係合させて、ストッパー本体をスリットなどの案内手段の所定の位置で固定することができる。
【００３８】
このため、台座部の支持基材に対するストッパー本体の進退手段は、ストッパー本体に設けられた雌ネジと、雌ネジと螺合するボルト軸のような雄ネジ部とから構成されていることが好ましい。また、ストッパー側凹凸部と基材側凹凸部との係合が不意に離間・解除されるのを防ぐため、係止／解除手段には、ストッパー側凹凸部を基材側凹凸部へ向けて付勢するバネなどの付勢手段を取り付けてもよい。
【００３９】
ストッパー側凹凸部は、ストッパー本体に一体的に形成させてもよい。この場合、ストッパー本体や押圧具は、台座部の支持基材部の裏面に係止及び固定された後は、ストッパー側凹凸部に対して首を振ったり角度を変えたりすることができなくなるが、構造が単純化されて製造コストが安価となり、また信頼性も向上する。また、ストッパー本体や押圧具の角度を変えることができなくなるという課題に対しては、浴槽側壁を押圧する部分の押圧具などのストッパーの形状を、例えば円筒状や球体状などの多方向を向いた曲面形状とすることにより対処することができる。
【００４０】
また、ストッパー側凹凸部は、ストッパー本体へ水平方向に回動自在に取り付けられた第２のストッパー本体に形成させてもよい。この場合、ストッパー本体や押圧具は、台座部の支持基材部の裏面に係止及び固定された後も、水平方向に首を振ったり角度を変えたりすることができるので、浴槽側壁の形状や傾きに拠らず、押圧時の浴槽側壁との密着性を向上させることができる。また、浴槽側壁を押圧する部分の押圧具などのストッパーの形状を、例えば円筒状や球体状などの多方向を向いた曲面形状とすると、ストッパーによる押圧時、浴槽側壁との密着性をさらに向上させることができる。
【００４１】
ストッパー側凹凸部を備えた第２のストッパー本体がストッパー本体へ水平方向に回動自在に取り付けられている場合、ストッパー本体および／または第２のストッパー本体に、第２のストッパー本体に対するストッパー本体の回動範囲を規制する第１の回動規制手段を設けると、ストッパー本体や押圧具の過剰な回転により、本来は押圧部分ではないストッパー本体や押圧具の他の部分が浴槽側壁を押圧することにより、浴槽側壁を疵付けたり或いはストッパーが損傷するのを防止することができる。
【００４２】
第１の回動規制手段は、例えば第２のストッパー本体には第１の突起部を有する第１の回動軸部を設け、そしてストッパー本体には、第１の突起部の回動軌跡内において第１の突起部と当接する２つの当接部を設けることなどにより構成することができる。また、第１の回動規制手段は、逆にストッパー本体に第１の突起部を設け、第２のストッパー本体に２つの当接部を設けてもよい。
【００４３】
本発明の浴槽用補助具では、一の実施形態として、台座部と、案内手段によって台座部の幅方向に移動できると共に、任意の位置で固定するための係止／解除手段を備えており、そして台座部の一の端部領域の裏面に設けられている第１のストッパーと、そして案内手段によって台座部の幅方向に移動できると共に、任意の位置で固定するための係止／解除手段を備えており、そして台座部の他の端部領域の裏面に設けられている第２のストッパーとを備えている浴槽用補助具において、第１のストッパーおよび／または第２のストッパーは、ナットが固定されており、且つ台座部の任意の位置に固定できるストッパー本体と、ナットに螺合するボルト軸と、ボルトの後端部に固着されたハンドルノブと、そしてハンドルノブまたはボルト軸を回動することにより螺進退するように、ハンドルノブまたはボルト軸の先端部へ回動自在に支承されている押圧具とを備えるように構成してもよい。
【００４４】
すなわち、上述の一の実施形態として、押圧具は、ストッパー本体にナットを固定し、そしてナットに螺合するボルト軸を回動することにより螺進退するようにボルト軸へ支承させることができる。
【００４５】
この場合、ボルト軸の後端部にハンドルノブを取り付け、そして押圧具を、ハンドルノブを介してボルト軸に支承させると、押圧具は、ボルト軸の長さに拠らず、ハンドルノブに直結させて配置できるので、ストッパーを極めてコンパクトに設計することができる。
【００４６】
また、ストッパーの押圧具は、ナットと螺合したボルト軸を回転させるによって螺進退させる構造であるので、単にストッパーや押圧具をスライド移動させて浴槽側壁に押し付ける場合よりも、ハンドルノブを回す小さな回動力でより大きな押圧力を発生させることができる。このため、本発明で使用されるストッパーは、単にスライド移動する従来型のストッパーよりも、対向する浴槽の内壁面を強力に突っ張ることができ、そして浴槽用補助具を浴槽側壁に強力に固定することができる。また、ボルト軸のナットの組み合せと同様に、単にストッパーや押圧具をスライド移動させて浴槽側壁に押し付ける場合よりも大きな力を発生させるのに適した押圧手段としては、例えば回動軸に偏心カムを配置した操作レバーによって押圧部材をさらに前進させるという、偏心カムの機能とテコの原理を利用した押圧手段などがある。
【００４７】
ストッパー本体および／または押圧具に、ストッパー本体に対する押圧具の移動範囲を規制する移動規制手段を設けると、ボルト軸の回し過ぎなどにより、不意にボルト軸がナットから抜け落ちてしまうこと、およびストッパー本体又は押圧具が押圧具又はストッパー本体から離脱してしまうことを防止することができる。
【００４８】
移動規制手段は、例えばストッパー本体には縁部によって区画された開口部を設け、そして押圧具には、ボルト軸に対して略平行に延びており且つ開口部を貫通して縁部と係合する２以上の爪付き弾性片を設けることなどにより構成することができる。また、逆に押圧具に開口部を設け、ストッパー本体に２以上の爪付き弾性片を設けてもよい。前者の場合、押圧具の弾性片は、弾性片をストッパー本体の開口部に通過させた後、爪を開口部の周縁部に係合するように付勢する。このため、押圧具は、移動規制手段を用いてストッパー本体に組み付ければ、不意に外れることがなくなるので、組み付けが容易になる。
【００４９】
また、押圧具を、ボルト軸の後端部に取り付けたハンドルノブに支承させると、ストッパー本体と押圧具は、一部が重なり合うように近接して相対的に進退移動するので、ストッパー本体又は押圧具へ、押圧具又はストッパー本体の移動位置を示す目盛りを設けると、ストッパー本体に又は押圧具に対する相手側部品の位置を容易に目視できるようになるので便利である。
【００５０】
また、本発明の浴槽用補助具では、ボルト軸の後端部にハンドルノブを取り付け、そして押圧具を、ボルト軸の先端部に回動自在に支承させてもよい。この場合、押圧具はボルト軸の長さの分だけ離間して配置されるが、１つのボルト軸に直接ハンドルノブと押圧具を担持させることができるので、ストッパーの構造を極めて単純化することができる。
【００５１】
本発明の浴槽用補助具では、他の実施形態として、台座部と、案内手段によって台座部の幅方向に移動できると共に、任意の位置で固定するための係止／解除手段を備えており、そして台座部の一の端部領域の裏面に設けられている第１のストッパーと、そして案内手段によって台座部の幅方向に移動できると共に、任意の位置で固定するための係止／解除手段を備えており、そして台座部の他の端部領域の裏面に設けられている第２のストッパーとを備えている浴槽用補助具において、第１のストッパーおよび／または第２のストッパーは、ナットが回動自在に取り付けられており、且つ台座部の任意の位置に固定できるストッパー本体と、ナットに螺合するボルト軸と、ナットに固着されたハンドルノブと、そしてハンドルノブまたはナットを回動することにより螺進退するように、ボルト軸へ回動自在に支承されている押圧具とを備えるように構成してもよい。
【００５２】
すなわち、上述の他の実施形態として、ストッパー本体にはナットを回動自在に取り付け、そして押圧具は、ナットを回動することにより螺進退するように、ナットと螺合するボルトへ支承させることができる。
【００５３】
この場合、ナットにハンドルノブを取り付けると、ハンドルノブは、ボルト軸の螺進退移動に拠らず、ストッパー本体上の定位置で操作をすることができるようになるので、ボルト軸の螺進退により、ハンドルノブがストッパー本体から突出するのを抑制することができる。
【００５４】
また、ストッパーの押圧具は、ボルト軸と螺合したナットを回転させるによって螺進退させる構造であるので、単にストッパーや押圧具をスライド移動させて浴槽側壁に押し付ける場合よりも、ハンドルノブを回す小さな回動力でより大きな押圧力を発生させることができる。このため、本発明で使用されるストッパーは、単にスライド移動する従来型のストッパーよりも、対向する浴槽の内壁面を強力に突っ張ることができ、そして浴槽用補助具を浴槽側壁に強力に固定する。
【００５５】
本発明の浴槽用補助具のストッパーで使用される押圧具は、略円筒形状の押圧部材または略平板状の押圧部材を含んでいてもよい。特に押圧具の押圧部材が、略円筒の形状或いは略球体の形状などの多方向を向いた曲面形状を有する場合は、浴槽側壁の形状や傾きに拠らず、押圧具による押圧時の浴槽側壁との密着性を向上させることができる。
【００５６】
また、押圧部材は、押圧具へ鉛直方向に回動自在に取り付けられていてもよい。特に上述したように、ストッパー側凹凸部を備えた第２のストッパー本体がストッパー本体へ水平方向に回動自在に取り付けられている場合、押圧部材は、水平方向にも鉛直方向にも首を振ったり角度を変えたりすることができるので、浴槽側壁の形状や傾きに拠らず、押圧時の浴槽側壁との密着性を向上させることができる。また、押圧部材の形状を、上述のように略円筒の形状或いは略球体の形状などの多方向を向いた曲面形状とすると、押圧具による押圧時、押圧部材と浴槽側壁との密着性をさらに向上させることができる。
【００５７】
また、押圧部材が押圧具へ鉛直方向に回動自在に取り付けられている場合は、押圧具および／または押圧部材に、押圧具に対する部材の回動範囲を規制する第２の回動規制手段を設けると、押圧部材の過剰な回転により、本来は押圧部分ではない押圧部材の他の部分が浴槽側壁を押圧することにより、浴槽側壁を疵付けたり或いは押圧部材や押圧具、ストッパー本体が損傷するのを防止することができる。
【発明の効果】
【００５８】
本発明によれば、浴槽用補助具は、台座部の裏側の両端部領域に配置された一方のストッパーを浴槽側壁の内面に当接させて固定し（１段目のモーション）、他方のストッパーを浴槽側壁の反対側の内面に当接させて固定した後（１段目のモーション）、さらに、一方のストッパーおよび／または他方のストッパーから浴槽側壁の内面へ向けて、ストッパーの押圧具を前進させることにより（２段目のモーション）、浴槽用補助具を浴槽に取り付けることができる。
【００５９】
このため、本発明で使用されるストッパーは、ストッパー本体に取り付けられた押圧具が、固定されたストッパー本体からさらに浴槽側壁を押し込むように前進させて（２段目のモーション）、いわゆる増す締め（増す押し）を行うことが可能となるので、台座部を介して浴槽側壁の対向する内面同士を強力に突っ張ることができる。この結果、本発明の浴槽用補助具は、上向き方向の力などの水平方向の力以外の力が加わった場合においても、その力に十分に抗することができるように強固に浴槽に取り付けることができる。
【００６０】
また、本発明の浴槽用補助具では、ストッパーの押圧具は、ボルト軸とナットの螺合を利用してボルト軸を螺進退させる構造であるので、単にストッパーや押圧具をスライド移動させて浴槽側壁に押し付ける場合よりも、ハンドルノブを回す小さな回動力でより大きな押圧力を発生させることができる。
【００６１】
また、本発明で使用される１対のストッパーは、剛性を有する浴槽の内壁部分を利用して固定されるので、浴槽側壁の押圧位置を選ばず、台座部を介して強力に突っ張ることができる。
【００６２】
本発明の浴槽用補助具によれば、台座部を、板状の回動部材と板状の支持基材とから構成すると、使用者が一時的に腰を掛けることにより浴槽への出入りを容易にさせるバスボードのように使用することができる。この場合、使用者が入浴する時は、台座部の回動部材を跳ね上げることができ、そして支持基材も浴槽の開口部を避けるようにコの字型またはＣ型に湾曲しているので、本発明の浴槽用補助具が使用者の邪魔となることがない。
【００６３】
本発明の浴槽用補助具によれば、台座部の一部を、コの字型またはＣ型に湾曲している支持基材の両端部領域を横断するように配置される棒状のグリッピングバーで構成すると、使用者が手で握ることにより浴槽への出入りを容易にさせる浴槽用手摺りのように使用することができる。この場合、使用者が入浴する時は、台座部のグリッピングバーを跳ね上げることができ、そして支持基材も浴槽の開口部を避けるように湾曲しているので、浴槽用補助具が使用者の邪魔となることがない。
【００６４】
また、本発明の浴槽用補助具では、支持基材は板状であり且つ平面視においてコの字型またはＣ型に湾曲しているので、水平方向に働く曲げモーメントに対しては、ウエブとして曲げに抗する十分な大きさの断面二次モーメントを有している。このため、支持基材の両端部領域に配置された１対のストッパーによって、支持基材へ、突っ張り応力に起因した強力な曲げモーメントが働いても、１対のストッパーを直線状の連結部材で連結させた場合と同様に、コの字型またはＣ型に湾曲した支持基材を介して浴槽の対向する内壁面を強力に突っ張ることができる。
【図面の簡単な説明】
【００６５】
【図１】浴槽へ取り付けられた状態の本発明の第１の実施形態に係るバスボード型の浴槽用補助具の斜視図である。
【図２】図１の浴槽用補助具の回動部材を跳ね上げた状態を示した斜視図である。
【図３】図１の浴槽用補助具の裏面側から図示した斜視図である。
【図４】図１の浴槽用補助具を浴槽へ取り付ける際のストッパーの動きを示した浴槽用補助具の側面図である。
【図５】図４の浴槽用補助具を浴槽へ取り付ける際のストッパーの動きを部分的に拡大した浴槽用補助具の側面図である。
【図６】第１の実施形態に係る２段モーション型ストッパーをノブ側から図示した斜視図である。
【図７】図５のストッパーを押圧面側から図示した斜視図である。
【図８】図５のストッパーをストッパー本体と押圧具とに分けて組み立てた場合の組立図である。
【図９】図５のストッパーの分解図である。
【図１０】押圧具の支承方式が異なる２つタイプの２段モーション型ストッパーを水平断面で切り取った断面図である。
【図１１】図７のストッパーとは押圧部材が異なる第２の実施形態に係る２段モーション型ストッパーの分解図である。
【図１２】一の実施形態に係る１段モーション型ストッパーを図示した斜視図である。
【図１３】浴槽へ取り付けられた状態の本発明の第２の実施形態に係る浴槽手摺り型の浴槽用補助具の斜視図である。
【図１４】図１３の浴槽用補助具のグリッピングバーを跳ね上げた状態を示した斜視図である。
【発明を実施するための形態】
【００６６】
以下、本発明の一実施形態に係る浴槽用補助具について、図面を参照しながら詳細に説明する。なお、本発明は、以下に示される実施形態に限定されるものではなく、本発明の技術的思想を逸脱しない範囲内で各種の変更が可能である。
【００６７】
１．第１の実施形態に係る浴槽用補助具
先ず、主に図１〜５を用いて、第１の実施形態に係る浴槽用補助具１の全体的な構成などについて詳しく説明する。
【００６８】
図１には、第１及び第２のストッパー２，８を用いて浴槽１０へ取り付けられた状態の本発明の第１の実施形態に係るバスボード型の浴槽用補助具１が示されている。図２には、図１に示された浴槽用補助具１の回動部材１１０を跳ね上げた状態が示されている。図３には、図１に示された浴槽用補助具１の裏面側から図示した概要図が示されている。
【００６９】
図１〜３に示されているように、第１の実施形態に係るバスボード型の浴槽用補助具１は、浴槽１０の開口部の一部に設置される台座部１１と、案内手段１２によって台座部１１の幅方向に移動できると共に、任意の位置で固定するための係止／解除手段２１（図３）を備えており、そして台座部１１の一の端部領域の裏面に設けられている第１のストッパー２と、そして案内手段１２によって台座部１１の幅方向に移動できると共に、任意の位置で固定するための係止／解除手段２１（図３）を備えており、そして台座部１１の他の端部領域の裏面に設けられている第２のストッパー８（図３）とを備えている。また、第１のストッパー２は、台座部１１の任意の位置に固定できるストッパー本体３と、そしてストッパー本体３から離間させて位置を固定できる押圧具４とを備えている（図８参照）。
【００７０】
図示しないが、台座部１１は、浴槽１０の開口部の一部を覆うように設置される一体物であってもよい。第１の実施形態に係る浴槽用補助具１では、台座部１１は、板状の回動部材１１０と板状の支持基材１１１とに分かれている。支持基材１１１は、回動部材１１０を開閉自在に支持すると共に、回動部材１１０を挟んで互いに対向し且つ互いに連結されている一の端部領域と他の端部領域とを含んでおり、そして回動部材１１０の外周部に配置されている。第１のストッパー２は、支持基材１１１の一の端部領域の裏面に設けられており、第２のストッパー８は、支持基材１１の他の端部領域の裏面に設けられている。
【００７１】
第１の実施形態に係る浴槽用補助具１は、台座部１１が、板状の回動部材１１０と、板状の支持基材１１１とから構成されているので、使用者が一時的に腰を掛けることにより浴槽１０への出入りを容易にさせるバスボードのように使用することができる。
【００７２】
また、図１に示されているように、回動部材１１０表面の前方縁部寄りには、使用者が回動部材１１０を開閉する時または腰を掛ける時などに手で掴むためのノブ１１２が取り付けられている。また、回動部材１１０表面には、前方縁部に沿って複数の雌ネジ孔１１３が設けられており、ノブ１１２の雄ネジと螺合させることによってノブ１１２の取り付け位置を移動させることができる。
【００７３】
図４には、第１の実施形態に係る浴槽用補助具１を浴槽１０へ取り付ける際の第１ストッパー２と第２のストッパー８の動きが、それぞれに点線および実線で示されている。図５には、第１の実施形態に係る浴槽用補助具１を浴槽１０へ取り付ける際の第１ストッパー２の動きが、部分的に拡大されて２点鎖線および実線で示されている。
【００７４】
図４に示されているように、第１の実施形態に係る浴槽用補助具１は、台座部１１の支持基材１１１の裏側の両端部領域に第１のストッパー２および第２のストッパー８と備えている。そして、２つストッパー２，８のうち、図４の右側に示されている第２のストッパー８は、係止／解除手段２１によって支持基材１１１の裏側の任意の位置で第２のストッパー本体８０（図１２）を固定することができる。
【００７５】
一方、図４の左側に示されている第１のストッパー２は、係止／解除手段２１によって支持基材１１１の裏側の第１の位置でストッパー本体３（図８）を固定することができ、さらに第１の位置を基準として、ストッパー本体３から離間した第２の位置で、ストッパー本体３に取り付けられた押圧具４（図８）を固定することができる。別言すれば、第１のストッパー２は、図９に示されているように、第１の位置における固定と、第１の位置を基準とした第２の位置における固定という２段モーションを起こすことができる。
【００７６】
このため、第１の実施形態に係る浴槽用補助具１の取り付けは、図４の右側において点線と実線で示されているように、台座部１１の支持基材１１１の裏側の端部領域に配置された第２のストッパー８を浴槽側壁の内面に当接させて固定し（１段目のモーション）、さらに図４の右側において点線と実線で示されているように、第１のストッパー２を浴槽側壁の反対側の内面に当接させて固定する（１段目のモーション）。この時、先に第１のストッパー２を浴槽側壁の内面に当接させて固定した後、第２のストッパー８を浴槽側壁の内面に当接させて固定してもよいし、両ストッパー２，８を略同時に浴槽側壁の内面に当接させて固定してもよい。
【００７７】
さらに、図５において２点鎖線と実線で示されているように、第１のストッパー２から浴槽側壁の内面へ向けて、第１のストッパー２の押圧具４を前進させることにより（２段目のモーション）、浴槽用補助具１を浴槽に強力に固定することができる。
【００７８】
第１のストッパー２は、台座部１１の支持基材１１１の裏側の両端部領域にスライド可能に設けられた１対のストッパーを単に浴槽側壁の内面に当接させるのみの従来のタイプとは異なり、ストッパー本体３に取り付けられた押圧具４が、固定されたストッパー本体３からさらに浴槽側壁を押し込むように前進させて（２段目のモーション）、いわゆる増す締め（増す押し）を行うことが可能となるので、台座部１１の支持基材１１１を介して浴槽側壁の対向する内面同士を強力に突っ張ることができる。この結果、第１の実施形態に係る浴槽用補助具１は、上向き方向の力などの水平方向の力以外の力が加わった場合においても、その力に十分に抗することができるように強固に浴槽１０に取り付けることができる。
【００７９】
また、１対の第１のストッパー２および第２のストッパー８は、剛性を有する浴槽１０の内壁部分を利用して固定されるので、浴槽側壁の押圧位置を選ばず、台座部１１の支持基材１１１を介して強力に突っ張ることができる。
【００８０】
このように、第１の実施形態による上述の効果は、２段モーションにより増す締め（増す押し）することができる第１のストッパー２と、１段モーションにより押圧することができる第２のストッパー８とを台座部１１の支持基材１１１を介して連結させることにより奏される。このため、図示しないが、第１の実施形態に係る浴槽用補助具１は、２段モーションにより増す締め（増す押し）することができる第１のストッパー２と、１段モーションにより押圧することができる第２のストッパー８との対、または２段モーションにより増す締め（増す押し）することができる第１のストッパー２同士の対を複数対備えていてもよい。
【００８１】
この場合、第１のストッパー２と第２のストッパー８の対および／または第１のストッパー２同士の対の数の増加に比例して、浴槽用補助具１は、上向き方向の力などの水平方向の力以外の力が加わった場合においても、その力に十分に抗することができるようにより一層強固に浴槽１０に取り付けることができるようになる。
【００８２】
また、第１の実施形態に係る浴槽用補助具１は、台座部１１が、回動部材１１０と、回動部材１１０の外周部を囲むように配置される支持基材１１１とに分かれているので、使用者が入浴する時は、台座部１１の回動部材１１０を跳ね上げることができ、そして支持基材１１１も浴槽１０の開口部を避けるようにコの字型に湾曲しているので、浴槽用補助具１が使用者の邪魔となることがない。さらに、上述したように、支持基材１１１の両端部領域に設けられた１対のストッパー２，８は、コの字型に湾曲した支持基材１１１を介して浴槽１０の対向する内壁面を強力に突っ張ることができるので、回動部材１１０を跳ね上げるにより、浴槽用補助具１に上向き方向などの力が生じた場合でも、浴槽用補助具１が浴槽側壁から脱落などすること防止することができる。
【００８３】
特に第１の実施形態に係る浴槽用補助具１では、支持基材１１１は板状であり且つ平面視においてコの字型に湾曲しているので、水平方向に働く曲げモーメントに対しては、ウエブとして曲げに抗する十分な大きさの断面二次モーメントを有している。このため、支持基材１１１の両端部領域にそれぞれ配置された第１のストッパー２および第２のストッパー８によって、支持基材１１１へ、突っ張り応力に起因した強力な曲げモーメントが働いても、１対のストッパーを直線状の連結部材で連結させた場合と同様に、コの字型に湾曲した支持基材１１１を介して浴槽１０の対向する内壁面を強力に突っ張ることができる。
【００８４】
なお、第１の実施形態に係る浴槽用補助具１へ使用される材料は、各部品に求められる強度を有するものであれば特に制限されるものではないが、浴室内は高温多湿の過酷な腐食環境であるので、耐腐食性が高く、しかも軽量であるプラスチック材料など主要材料として用いられていることが好ましい。
【００８５】
２．ストッパー 
次に、主に図６〜１０を用いて、第１の実施形態に係る浴槽用補助具１で使用される第１のストッパー２などについて詳しく説明する。
【００８６】
図６及び図７には、第１のストッパー２をハンドルノブ７側および押圧具３の押圧面側から図示した全体概要が示されている。図８には、第１のストッパー２をストッパー本体３と押圧具４とに分けて組み立てた場合の組立図が示されている。そして図９には、第１のストッパー２の分解した状態が示されている。
【００８７】
図６，７に示されているように、第１のストッパー２は、第１のストッパー２を浴槽用補助具１の支持基材１１１の裏面にてスライド移動させそして固定するための進退手段２０としての雄ネジ部２２と、進退手段２０によって浴槽用補助具１の支持基材１１１の裏面に固定されるストッパー本体３と、ストッパー本体３からさらに螺進退させることができる押圧具４と、そして押圧具４を螺進退させるためのハンドルノブ７を備えている。
【００８８】
さらに、図８，９を参照してよく理解されるように、ストッパー本体３は、浴槽用補助具１の支持基材１１１の裏面に形成された基材側凹凸部と係合する係止／解除手段２１としてのストッパー側凹凸部３１と、進退手段２０の雄ネジ部２２と螺合する雌ネジ３２とが形成された第２のストッパー本体３０と、そしてナット６を含んでいる。また、ストッパー本体３０はストッパー本体３と分離しており、ストッパー本体３へ回動自在に連結されている。
【００８９】
一方、押圧具４は、押圧具４から横方向に延びた腕４１に回動可能に支承された押圧部材４０と、押圧具４に回動自在に取り付けられたハンドルノブ７を含んでおり、さらにハンドルノブ７には、ストッパー本体３に固定されたナット６と螺合するボルト軸５が取り付けられている。また、押圧部材４０の表面には、外周部にゴムなどの弾性樹脂からなる滑り止めラバーが被着されている。
【００９０】
第１の実施形態に係る浴槽用補助具１では、台座部１１の支持基材１１１の両端部領域に設けられた案内手段１２は、スリット２３と、そしてスリット２３を貫通し且つストッパー本体３に連結される進退手段２０のガイド軸とから構成されている。したがって、ガイド軸とは、より詳しくは、第２のストッパー本体３０に形成された雌ネジ３２と螺合する進退手段２０の雄ネジ部２２を意味する。
【００９１】
第１の実施形態に係る浴槽用補助具１では、台座部１１の支持基材１１１に設けたスリット２３の中に、ストッパー本体３に連結されたガイド軸としての雄ネジ部２２が摺動可能に配置されるので、第１のストッパー２は、スリット２３に沿って円滑にスライド移動させることができる。また、支持基材１１１に形成されたスリット２３と、その中でスライドする雌ネジ部２２のガイド軸との組み合わせは、構造が簡単で製造コストが安く、信頼性も高いというメリットがある。
【００９２】
ストッパー本体３の上部にはストッパー側凹凸部３１が形成されており、そして係止／解除手段２１は、ストッパー側凹凸部３１と、ストッパー側凹凸部３１と係合し、且つ案内手段１２のスリット２３に沿って台座部１１の支持基材１１１に形成された基材側凹凸部（図示せず）と、そしてストッパー側凹凸部３１を基材側凹凸部へ向けて前進させる進退手段２０とから構成されている。
【００９３】
すなわち、第１のストッパー２では、係止／解除手段２３は、ストッパー本体３に設けられたストッパー側凹凸部３１と、台座部１１の支持基材１１１のスリット２３の周辺部に設けられた基材側凹凸部（図示せず）とから構成されている。そして、スリット２３の中でストッパー本体３に螺合された進退手段２０のガイド軸を後退させることにより、ストッパー側凹凸部３１と基材側凹凸部との係合を離間・解除させて、ストッパー本体３は、スリット２３に沿ってスライド移動できるようになる。一方、スリット２３の中でストッパー本体３に螺合された進退手段２０のガイド軸を前進させることにより、ストッパー側凹凸部３１と基材側凹凸部とを当接・係合させて、ストッパー本体３をスリット２３の中の位置で固定することができる。
【００９４】
このため、第１のストッパー２では、ストッパー本体３を台座部１１の支持基材１１１に対して近接・離間させる進退手段２０は、ストッパー本体３に設けられた雌ネジ３２と、雌ネジ３２と螺合する雄ネジ部２２とから構成されている。また、図示しないが、ストッパー側凹凸部３１と基材側凹凸部との係合が不意に離間・解除されるのを防ぐため、係止／解除手段２１には、ストッパー側凹凸部３１を基材側凹凸部へ向けて付勢するバネなどの付勢手段を取り付けてもよい。
【００９５】
なお、第１のストッパー２の係止／解除手段２１は、上述のような凹凸や帯歯などが噛み合うことにより係止する手段に限定されるものではなく、噛み合い、嵌合、摩擦などを利用して係止できる公知の係止／解除手段を採用することができる。
【００９６】
図１０（ａ）、（ｂ）には、第１のストッパー２において、押圧具４の支承方式が異なる２つタイプの２段モーション型ストッパーを水平断面で切り取った断面図が模式的に示されている。
【００９７】
第１のストッパー２では、ストッパー本体３にはナット６が固定されており、そして押圧具４は、ナット６に螺合するボルト軸５を回動することにより螺進退するように、ボルト軸５に支承されている。
【００９８】
特に第１のストッパー２は、図１０（ａ）に模式的に図示されているように、ボルト軸５の後端部にハンドルノブ７を取り付け、そして押圧具４を、ハンドルノブ７を介してボルト軸５に支承させているので、押圧具４は、ボルト軸５の長さに拠らず、ハンドルノブ７に直結させて配置できるので、第１のストッパー２を極めてコンパクトに設計することができる。
【００９９】
図８，９に示されているように、第１のストッパー２では、押圧具４は、ハンドルノブ７のボルト軸５と直交する縦壁にノブ軸受け開口４４を有しており、一方、ハンドルノブ７は、押圧具４のノブ軸受け開口４４に回動自在に支持される円筒状のノブ回動軸部７０を有している。また、ノブ回動軸部７０には複数のスリットが切られており、回動軸部７０に対して略平行に延びており且つ押圧具４のノブ軸受け開口４４を貫通して縁部と係合する爪７１０付きの軸部弾性片７１が周方向に複数個設けられている。
【０１００】
このため、ハンドルノブ７のノブ回動軸部７０を押圧具４のノブ軸受け開口４４へ挿通させると、軸部弾性片７１の爪７１０がノブ軸受け開口４４の周縁部に係合するので、ハンドルノブ７を押圧具４へ回動自在に取り付けることができる。すなわち、押圧具４は、ハンドルノブ７を介してボルト軸５に支承されている状態となる。この場合、爪７１０は軸部弾性片７１によってノブ軸受け開口４４の周縁部に係合するように付勢されているので、ハンドルノブ７が押圧具４から不意に外れることがなく安全であり、且つ組み付けも容易になる。
【０１０１】
また、ボルト軸５ｂの後端部にハンドルノブ７ｂを取り付け、そして押圧具４ｂを、ボルト軸５ｂの先端部に回動自在に支承させることにより、第１のストッパー２ｂを構成してもよい。この場合は、図１０（ｂ）に模式的に図示されているように、押圧具４ｂはボルト軸５ｂの長さの分だけ離間して配置されるが、１つのボルト軸５ｂに直接ハンドルノブ７ｂと押圧具４ｂを担持させることができるので、第１のストッパー２ｂの構造を極めて単純化することができる。
【０１０２】
第１のストッパー２，２ｂは、第１のストッパー２，２ｂの押圧具４，４ｂが、ナット６，６ｂと螺合したボルト軸５，５ｂを回転させるによって螺進退させる構造であるので、後述する図８に示されている第２のストッパー８のように、単に第２のストッパー８をスライド移動させて浴槽側壁に押し付ける場合よりも、ハンドルノブ７，７ｂを回す小さな回動力でより大きな押圧力を発生させることができる。このため、第１のストッパー２，２ｂは、単にスライド移動する従来型の第２のストッパー８などよりも、対向する浴槽１０の内壁面を強力に突っ張ることができ、そして浴槽用補助具１を浴槽側壁に強力に固定することができる。
【０１０３】
押圧具４を、ハンドルノブ７を介してボルト軸５に支承させた第１のストッパー２の場合、ストッパー本体３および押圧具４に、ストッパー本体３に対する押圧具４の移動範囲を規制する移動規制手段４２を設けているので、ボルト軸５の回し過ぎなどにより、不意にボルト軸５がナット６から抜け落ちてしまうこと、および押圧具４がストッパー本体３から離脱してしまうことを防止することができる。
【０１０４】
より具体的には、移動規制手段４２は、ストッパー本体３には縁部によって区画された開口部３０１を設け、そして押圧具４には、ボルト軸５に対して略平行に延びており且つストッパー本体３の開口部３０１を貫通して縁部と係合する２以上の爪４３０付き弾性片４３を設けることにより構成することができる。また、図示しないが、逆に押圧具４に開口部を設け、ストッパー本体３に２以上の爪付き弾性片を設けることによっても同じ機能を達成することができる。本実施形態の場合、押圧具４の弾性片４３は、弾性片４３をストッパー本体３の開口部３０１に通過させた後、爪４３０を開口部３０１の周縁部に係合するように付勢する。このため、押圧具４は、移動規制手段４２を用いてストッパー本体３に組み付ければ、不意に外れることがなくなるので、組み付けが容易になる。
【０１０５】
また、第１のストッパー２では、押圧具４を、ボルト軸５の後端部に取り付けたハンドルノブ７に支承させているので、図１０（ａ）に示されるように、ストッパー本体３と押圧具４は、一部が重なり合うように近接して相対的に進退移動するので、ストッパー本体３又は押圧具４へ、押圧具４又はストッパー本体３の移動位置を示す目盛り（図示せず）を設けると、ストッパー本体３に又は押圧具４に対する相手側部品の位置を容易に目視できるようにすることができる。
【０１０６】
図９に詳しく示されているように、ストッパー本体３は、その上部に軸受け開口３３を有しており、第２のストッパー本体３０は、内部に雌ネジ３２を形成し且つストッパー本体３の軸受け開口３３に回動自在に支持される円筒状の第１の回動軸部３４を有している。また、第２のストッパー本体３０のストッパー本体３への取り付けは、第２のストッパー本体３０の第１の回動軸部３４をストッパー本体３の軸受け開口３３へ挿通させた後、軸受け開口３３の内径よりも大きな外径を有する固定リング３６を、第１の回動軸部３４に形成された溝部３５へ嵌め込むことにより達成される（図７，８参照）。
【０１０７】
第１のストッパー２では、ストッパー側凹凸部３１は、ストッパー本体３へ水平方向に回動自在に取り付けられた第２のストッパー本体３０に形成されている。このため、ストッパー本体３およびストッパー本体３に担持された押圧具４は、台座部１１の支持基材部１１１の裏面に係止及び固定された後も、水平方向に首を振ったり角度を変えたりすることができるので、浴槽側壁の形状や傾きに拠らず、押圧時の浴槽側壁との密着性を向上させることができる。また、浴槽側壁を押圧する部分の第１のストッパー２の形状を、例えば円筒状や球体状などの多方向を向いた曲面形状とすると、第１のストッパー２による押圧時、浴槽側壁との密着性をさらに向上させることができる。
【０１０８】
さらに、第１のストッパー２では、ストッパー本体３および第２のストッパー本体３０に、第２のストッパー本体３０に対するストッパー本体３の回動範囲を規制する第１の回動規制手段３７を設けているので、ストッパー本体３や押圧具４の過剰な回転により、押圧部材４０の押圧面以外の部分が浴槽側壁を押圧することにより、浴槽側壁を疵付けたり或いは第１のストッパー２が損傷するのを防止することができる。
【０１０９】
より具体的には、第１の回動規制手段３７は、第２のストッパー本体３０の第１の回動軸部３４に装着される固定リング３６に第１の突起部３６０を設け、そしてストッパー本体３には、第１の突起部３６０の回動軌跡内において第１の突起部３６０と当接する２つの当接部３００を設けることにより構成されている（図７，８参照）。また、第１の回動規制手段３７は、図示しないが、逆にストッパー本体３に第１の突起部を設け、第２のストッパー本体３０に２つの当接部を設けることによっても同じ機能を達成することができる。
【０１１０】
また、第１のストッパー２では、押圧具４から横方向に延びた２本の腕４１は、断面が略一様な円形の円柱状に形成されており、押圧部材４０の背面には、押圧具４の腕４１を掴むために、腕４１の外径と略同じ内径を有する腕受け部４５が形成されている。このため、第１のストッパー２の押圧部材４０は、押圧具４の腕４１の長手方向に沿って腕４１へスライド挿入すると、鉛直方向に回動自在に取り付けることができる。また、押圧具４の腕４１の端部には弾性爪４１０が設けられており、押圧部材４０の腕受け部４５を腕４１へスライド挿入すると、弾性爪４１０が腕受け部４５の端部と係合するので、弾性爪４１０の係合を解除しない限り、押圧部材４０が押圧具４の腕４１から抜け落ちることがない（図６〜８参照）。
【０１１１】
第１のストッパー２は、上述したように、ストッパー側凹凸部３１を備えた第２のストッパー本体３０がストッパー本体３へ水平方向に回動自在に取り付けられているので、第１のストッパー２の押圧部材４０は、水平方向にも鉛直方向にも首を振ったり角度を変えたりすることができるようになり、浴槽側壁の形状や傾きに拠らず、押圧時の浴槽側壁との密着性をさらに向上させることができる。また、押圧部材４０の形状を、上述のように略円筒の形状或いは略球体の形状などの多方向を向いた曲面形状とすると、押圧具４による押圧時、押圧部材４０と浴槽側壁との密着性を適当に改善させることができる。
【０１１２】
また、第１のストッパー２では、押圧具４および押圧部材４０に、押圧具４に対する部材の回動範囲を規制する第２の回動規制手段４６を設けているので、押圧部材４０の過剰な回転により、押圧部材４０の押圧面以外の部分が浴槽側壁を押圧することにより、浴槽側壁を疵付けたり或いは押圧部材４０や押圧具４、ストッパー本体３が損傷するのを防止することができる。
【０１１３】
より具体的には、第２の回動規制手段４６は、押圧具４の腕４１の上面に、腕４１の長手方向に延びた条突起部４１１を設け、そして押圧部材４０の腕受け部４５には、腕４１の条突起部４１１を隙間を開けて挟み込む回動規制スリット４５０を設けることにより構成されている（図５，６，９参照）。また、第２の回動規制手段４６は、図示しないが、逆に押圧部材４０の腕受け部４５に内向きの条突起部を設け、押圧具４の腕４１の上面には、腕受け部４５の条突起部を隙間を開けて収容する回動規制溝を設けることによっても同じ機能を達成することができる。
【０１１４】
なお、上述の条突起部４１１と回動規制スリット４５０との関係または条突起部と回動規制溝との関係は、相互に動きが規制される位置に配置されていれば、押圧具４の腕４１や押圧部材４０の腕受け部４５の全長にわたって形成されている必要はなく、短片状の突起、短いスリット或いは短い溝部のように一部分に形成されていればよい。
【０１１５】
図１１には、押圧部材４０ａおよび腕４１ａの形状及び構造が第１のストッパー２の押圧部材４０および腕４１の形状及び構造と異なる押圧具４ａを備えた第２の実施形態に係る２段モーション型ストッパー２ａの分解図が示されている。ストッパー２ａは、押圧具４ａの押圧部材４０ａおよび腕４１ａの形状及び構造が第１のストッパー２の押圧部材４０および腕４１の形状及び構造と異なる以外は、第１のストッパー２のストッパー本体４、押圧具４、ボルト軸５を含むハンドルノブ７および第２のストッパー本体３０などと全て同じ形状及び構造を有しているので、ここでは同じ構成部品についての詳細な説明を省略する。
【０１１６】
第２の実施形態に係る２段モーション型ストッパー２ａでは、押圧部材４０ａは、中空の略円筒形状を有しているゴムやスポンジなどの弾性樹脂から作られており、押圧具４ａから横方向に延びた２本の腕４１ａへスライド挿入することにより装着される。第２の実施形態に係る２段モーション型ストッパー２ａでは、押圧部材４０ａは略円筒形状を有しているので、特に押圧部材４０ａを鉛直方向に回動自在に押圧具４ａへ取り付けなくても、浴槽側壁の形状や傾きに適合することができ、押圧具４ａによる押圧時の浴槽側壁との密着性を向上させることができる。
【０１１７】
図１２には、第１のストッパー２と対向する位置に配置される１段モーション型の第２のストッパー８の全体概要が示されている。
【０１１８】
第２のストッパー８は、第２のストッパー８を浴槽用補助具１の支持基材１１１の裏面にてスライド移動させそして固定するための進退手段２０としての雄ネジ部２２と、進退手段２０によって浴槽用補助具１の支持基材１１１の裏面に固定されるストッパー本体８０を備えている。また、ストッパー本体８０の表面には、外周部にゴムなどの弾性樹脂からなる滑り止めラバーが被着されている。
【０１１９】
ストッパー本体８０は、第１のストッパー２と同様に、浴槽用補助具１の支持基材１１１の裏面に形成された基材側凹凸部と係合する係止／解除手段２１としてのストッパー側凹凸部８１と、進退手段２０の雄ネジ部２２と螺合する雌ネジ８２とが形成された上部固定プレート８３を含んでいる。また、上部固定プレート８３はストッパー本体８０と一体的に成形されている。
【０１２０】
第１の実施形態に係る浴槽用補助具１では、台座部１１の支持基材１１１の両端部領域に設けられた案内手段１２は、スリット２３と、そしてスリット２３を貫通し且つストッパー本体８０に連結される進退手段２０のガイド軸とから構成されている。したがって、ガイド軸とは、より詳しくは、上部固定プレート８３に形成された雌ネジ８２と螺合する進退手段２０の雄ネジ部２２を意味する。
【０１２１】
第１の実施形態に係る浴槽用補助具１では、台座部１１の支持基材１１１に設けたスリット２３の中に、ストッパー本体８０に連結されたガイド軸としての雄ネジ部２２が摺動可能に配置されるので、第２のストッパー８は、スリット２３に沿って円滑にスライド移動させることができる。また、支持基材１１１に形成されたスリット２３と、その中でスライドする雌ネジ部２２のガイド軸との組み合わせは、構造が簡単で製造コストが安く、信頼性も高いというメリットがある。
【０１２２】
ストッパー本体８０の上部にはストッパー側凹凸部８１が形成されており、そして係止／解除手段２１は、ストッパー側凹凸部８１と、ストッパー側凹凸部８１と係合し、且つ案内手段１２のスリット２３に沿って台座部１１の支持基材１１１に形成された基材側凹凸部（図示せず）と、そしてストッパー側凹凸部８１を基材側凹凸部へ向けて前進させる進退手段２０とから構成されている。
【０１２３】
すなわち、第２のストッパー８では、係止／解除手段２３は、ストッパー本体８０に設けられたストッパー側凹凸部８１と、台座部１１の支持基材１１１のスリット２３の周辺部に設けられた基材側凹凸部（図示せず）とから構成されている。そして、スリット２３の中でストッパー本体８０に螺合された進退手段２０のガイド軸を後退させることにより、ストッパー側凹凸部８１と基材側凹凸部との係合を離間・解除させて、ストッパー本体８０は、スリット２３に沿ってスライド移動できるようになる。一方、スリット２３の中でストッパー本体８０に螺合された進退手段２０のガイド軸を前進させることにより、ストッパー側凹凸部８１と基材側凹凸部とを当接・係合させて、ストッパー本体８０をスリット２３の中の位置で固定することができる。
【０１２４】
このため、第２のストッパー８では、ストッパー本体８０を台座部１１の支持基材１１１に対して近接・離間させる進退手段２０は、ストッパー本体８０に設けられた雌ネジ８２と、雌ネジ８２と螺合する雄ネジ部２２とから構成されている。また、図示しないが、ストッパー側凹凸部８１と基材側凹凸部との係合が不意に離間・解除されるのを防ぐため、係止／解除手段２１には、ストッパー側凹凸部８１を基材側凹凸部へ向けて付勢するバネなどの付勢手段を取り付けてもよい。
【０１２５】
なお、第２のストッパー８の係止／解除手段２１は、上述のような凹凸や帯歯などが噛み合うことにより係止する手段に限定されるものではなく、噛み合い、嵌合、摩擦などを利用して係止できる公知の係止／解除手段を採用することができる。
【０１２６】
第２のストッパー８では、ストッパー側凹凸部８１は、ストッパー本体８０に一体的に形成された上部固定プレート８３上に設けられている。このため、第２のストッパー８のストッパー本体８０は、台座部１１の支持基材部１１１の裏面に係止及び固定された後は、上部固定プレート８３に対して首を振ったり角度を変えたりすることができなくなるが、構造が単純化されて製造コストが安価となり、また信頼性も向上する。また、第２のストッパー８では、ストッパー本体８０の角度を変えることができなくなるという課題に対しては、浴槽側壁を押圧する部分のストッパー本体８０の形状を、図示されているように、多方向を向いた円筒状の曲面形状とすることにより対処している。
【０１２７】
３．第２の実施形態に係る浴槽用補助具
次に、図１３，１４を用いて、第２の実施形態に係る浴槽用補助具１ａの全体的な構成などについて詳しく説明する。
【０１２８】
図１３には、第１及び第２のストッパー２，８を用いて浴槽１０へ取り付けられた状態の本発明の第２の実施形態に係るバスボード型の浴槽用補助具１ａが示されている。図１４には、図１３に示された浴槽用補助具１ａのグリッピングバー１１０ａを跳ね上げた状態が示されている。
【０１２９】
第２の実施形態に係る浴槽用補助具１ａでは、第１の実施形態に係る浴槽用補助具１の回動部材１１０がグリッピングバー１１０ａへ置き換わったこと以外は、基本的に第１の実施形態に係る浴槽用補助具１の支持基材１１１を含む台座部１１、案内手段１２、第１及び第２のストッパー２，８などと全て同じ形状、構造および同じ取り付け態様であるので、ここでは同じ構成部品についての詳細な説明を省略する。
【０１３０】
第２の実施形態に係る浴槽用補助具１ａでは、台座部１１ａが、互いに対向し且つ互いに連結されている一の端部領域と他の端部領域とを含んでおり、そして平面視においてコの字型に湾曲している板状の支持基材１１１ａと、そして支持基材１１１ａの一の端部領域と他の端部領域とを横断するように配置される棒状のグリッピングバー１１０ａを備えており、そして支持基材１１１ａに開閉自在に支持される手摺り部１１２ａとから構成されており、そして第１のストッパー２は、支持基材１１１ａの一の端部領域の裏面に設けられており、第２のストッパー８（図示せず）は、支持基材の他の端部領域の裏面に設けられている。
【０１３１】
第２の実施形態に係る浴槽用補助具１ａは、台座部１１ａの一部が、コの字型に湾曲している支持基材１１１ａの両端部領域を横断するように配置される棒状のグリッピングバー１１０ａを備えているので、使用者がグリッピングバー１１０ａの手摺り部１１２ａを手で握ることにより浴槽１０への出入りを容易にさせる浴槽用手摺りのように使用することができる。
【０１３２】
また、台座部１１ａが、グリッピングバー１１０ａと、コの字型に湾曲した支持基材１１１ａとから構成されているので、使用者が入浴する時は、台座部１１ａのグリッピングバー１１０ａを跳ね上げることができ、そして支持基材１１１ａも浴槽１０の開口部を避けるように湾曲しているので、浴槽用補助具１ａが使用者の邪魔となることがない。また、支持基材１１１ａの両端部領域に設けられた１対のストッパー２，８は、コの字型に湾曲した支持基材１１１ａを介して浴槽１０の対向する内壁面を強力に突っ張ることができるので、グリッピングバー１１０ａを跳ね上げるにより、浴槽用補助具１ａに上向き方向などの力が生じた場合でも、浴槽用補助具１ａが浴槽側壁から脱落などすること防止することができる。
【０１３３】
特に第２の実施形態に係る浴槽用補助具１ａでは、支持基材１１１ａは板状であり且つ平面視においてコの字型に湾曲しているので、水平方向に働く曲げモーメントに対しては、ウエブとして曲げに抗する十分な大きさの断面二次モーメントを有している。このため、支持基材１１１ａの両端部領域にそれぞれ配置された第１のストッパー２および第２のストッパー８（図示せず）によって、支持基材１１１ａへ、突っ張り応力に起因した強力な曲げモーメントが働いても、１対のストッパーを直線状の連結部材で連結させた場合と同様に、コの字型に湾曲した支持基材１１１ａを介して浴槽１０の対向する内壁面を強力に突っ張ることができる。
【０１３４】
なお、第２の実施形態に係る浴槽用補助具１ａへ使用される材料は、各部品に求められる強度を有するものであれば特に制限されるものではないが、浴室内は高温多湿の過酷な腐食環境であるので、耐腐食性が高く、しかも軽量であるプラスチック材料など主要材料として用いられていることが好ましい。
【符号の説明】
【０１３５】
１，１ａ・・・浴槽用補助具
１１，１１ａ・・・台座部
１２・・・案内手段
１１０・・・回動部材
１１０ａ・・・グリッピングバー
１１１，１１１ａ・・・支持基材
１１２・・・ノブ
１１２ａ・・・手摺り部
１１３・・・雌ネジ孔
２，２ａ，２ｂ・・・・第１のストッパー
２０・・・進退手段
２１・・・係止／解除手段
２２・・・雄ネジ部
２３・・・スリット
３，３ｂ・・・・ストッパー本体
３０・・・第２のストッパー本体
３００・・・当接部
３０１・・・開口部
３１・・・ストッパー側凹凸部
３２・・・雌ネジ
３３・・・軸受け開口
３４・・・第１の回動軸部
３５・・・溝部
３６・・・固定リング
３６０・・・第１の突起部
３７・・・第１の回動規制手段
４，４ａ，４ｂ・・・・押圧具
４０，４０ａ・・・押圧部材
４１，４１ａ・・・腕
４１０・・・弾性爪
４１１・・・条突起部
４２・・・移動規制手段
４３・・・弾性片
４３０・・・爪
４４・・・ノブ軸受け開口
４５・・・腕受け部
４５０・・・回動規制スリット
４６・・・第２の回動規制手段
５，５ｂ・・・・ボルト軸
６，６ｂ・・・・ナット
７，７ｂ・・・・ハンドルノブ
７０・・・ノブ回動軸部
７１・・・軸部弾性片
７１０・・・爪
８・・・・第２のストッパー
８０・・・ストッパー本体
８１・・・ストッパー側凹凸部
８２・・・雌ネジ
８３・・・固定プレート
１０・・・浴槽
【図１】
2016168235.tif 000003
【図２】
2016168235.tif 000004
【図３】
2016168235.tif 000005
【図４】
2016168235.tif 000006
【図５】
2016168235.tif 000007
【図６】
2016168235.tif 000008
【図７】
2016168235.tif 000009
【図８】
2016168235.tif 000010
【図９】
2016168235.tif 000011
【図１０】
2016168235.tif 000012
【図１１】
2016168235.tif 000013
【図１２】
2016168235.tif 000014
【図１３】
2016168235.tif 000015
【図１４】
2016168235.tif 000016